(57)【特許請求の範囲】
【請求項１】
回転軸を有するモータと、
前記モータの回転軸に固定された主動ギヤと、
前記主動ギヤに噛合された従動ギヤと、
前記従動ギヤに連結された入力軸および当該入力軸を介して回転操作される出力軸を有するものであって、前記モータの回転軸が予め決められた一方向へ１回転した場合に当該入力軸が前記主動ギヤ及び前記従動ギヤを介して１回転すると共に該1回転中に当該出力軸が間欠駆動する間欠駆動部と、
前記間欠駆動部の出力軸に連結され且つ上下動、回転可能な旋回ロッドと、
前記間欠駆動部の入力軸に連結されたカムと、
一端部を支点に上下に回動可能にされていると共に他端部が前記旋回ロッドに連結されたものであって、前記カムと係合するカムフォロワを有するレバーと、
前記レバーに連結され、上下方向へ指向するスライドロッドと、
ワークを加工する加工空間と加工の段取りを行う段取り空間との間に設けられ、前記スライドロッドに連結されたスライドカバーと、
前記スライドカバーの下方に設けられ、前記スライドカバーと協働して前記加工空間および前記段取り空間を仕切るものであって前記旋回ロッドに固定された旋回カバーと、
ワークを支持するためのパレットの係合凹部に下方から係合することが可能なパレット保持部を両端部のそれぞれに有し且つ前記旋回ロッドの下端部に固定されたパレット交換アームとを備え、
前記モータは、前記スライドカバーよりも上方に設けられ、
前記カムは、前記モータが１回転する間に、前記レバーを上下に回動すると共に上端において一時停止するように設定し、
前記レバーが上に回動する際、
前記旋回ロッドは下端位置から上端位置に上昇して前記パレット交換アームの一方のパレット保持部を前記加工空間内のパレットの係合凹部に下方から係合させて当該パレットを持上げ、他方のパレット保持部を前記段取り空間内のパレットの係合凹部に下方から係合させて当該パレットを持上げ、
前記スライドロッドは、前記旋回カバーの上昇量よりも大きな上昇量で前記スライドカバーを上昇させて、前記旋回カバーの上端部と前記スライドカバーの下端部との間に隙間を形成し、
前記レバーが上端にて一時停止した際、
前記間欠駆動部の出力軸は、旋回ロッドを回転して前記パレット交換アームの一方のパレット保持部をパレットと共に前記加工空間から前記段取り空間に搬送し、他方のパレット保持部をパレットと共に前記段取り空間から前記加工空間に搬送し、
前記レバーが一時停止から下端に回動する際、
前記旋回ロッドを上端位置から下端位置に下降させて前記パレット交換アームの一方のパレット保持部を前記段取り空間内でパレットと共に下降させ、他方のパレット保持部を前記加工空間内でパレットと共に下降させ、
且つ前記スライドロッドは、前記スライドカバーが下降して前記旋回カバーと協働して前記加工空間および前記段取り空間を仕切ることを特徴とするパレットチェンジ装置。
【発明の詳細な説明】
【０００１】
【発明の属する技術分野】
本発明は、ワークを加工する加工空間と加工の段取りを行う段取り空間との間を仕切る機能を備えたパレットチェンジ装置に関する。
【０００２】
【従来の技術】
例えばマシニングセンタには、加工空間と段取り空間との間に第１のカバーおよび第２のカバーを上下に並べて設けた構成のものがある。この構成の場合、ワークの加工時には両カバーを下降状態に保持することに基づいて両空間を仕切り、ワークの交換時等には両カバーの上昇状態でワークの交換等を行うようにしている。
【０００３】
【発明が解決しようとする課題】
上記構成の場合、両カバーを別個の上下動機構を介して別個の駆動源に連結している。このため、両駆動源の駆動タイミングをセンサからの出力信号に基づいて決める必要があるので、誤動作の可能性が高くなり、信頼性が低下する。
本発明は上記事情に鑑みてなされたものであり、その目的は、信頼性が高いパレットチェンジ装置を提供することにある。
【０００４】
【課題を解決するための手段】
請求項１記載のパレットチェンジ装置は、回転軸を有するモータと、前記モータの回転軸に固定された主動ギヤと、前記主動ギヤに噛合された従動ギヤと、前記従動ギヤに連結された入力軸および当該入力軸を介して回転操作される出力軸を有するものであって前記モータの回転軸が予め決められた一方向へ１回転した場合に当該入力軸が前記主動ギヤ及び前記従動ギヤを介して１回転すると共に該1回転中に当該出力軸が間欠駆動する間欠駆動部と、前記間欠駆動部の出力軸に連結され且つ上下動回転可能な旋回ロッドと、前記間欠駆動部の入力軸に連結されたカムと、一端部を支点に上下に回動可能にされていると共に他端部が前記旋回ロッドに連結されたものであって前記カムと係合するカムフォロワを有するレバーと、前記レバーに連結され上下方向へ指向するスライドロッドと、ワークを加工する加工空間と加工の段取りを行う段取り空間との間に設けられ前記スライドロッドに連結されたスライドカバーと、前記スライドカバーの下方に設けられ前記スライドカバーと協働して前記加工空間および前記段取り空間を仕切るものであって前記旋回ロッドに固定された旋回カバーと、ワークを支持するためのパレットの係合凹部に下方から係合することが可能なパレット保持部を両端部のそれぞれに有し且つ前記旋回ロッドの下端部に固定されたパレット交換アームとを備え、前記モータは前記スライドカバーよりも上方に設けられ、前記カムは前記モータが１回転する間に前記レバーを上下に回動すると共に上端において一時停止するように設定し、前記レバーが上に回動する際前記旋回ロッドは下端位置から上端位置に上昇して前記パレット交換アームの一方のパレット保持部を前記加工空間内のパレットの係合凹部に下方から係合させて当該パレットを持上げ他方のパレット保持部を前記段取り空間内のパレットの係合凹部に下方から係合させて当該パレットを持上げ、前記スライドロッドは前記旋回カバーの上昇量よりも大きな上昇量で前記スライドカバーを上昇させて前記旋回カバーの上端部と前記スライドカバーの下端部との間に隙間を形成し、前記レバーが上端にて一時停止した際前記間欠駆動部の出力軸は旋回ロッドを回転して前記パレット交換アームの一方のパレット保持部をパレットと共に前記加工空間から前記段取り空間に搬送し他方のパレット保持部をパレットと共に前記段取り空間から前記加工空間に搬送し、前記レバーが一時停止から下端に回動する際前記旋回ロッドを上端位置から下端位置に下降させて前記パレット交換アームの一方のパレット保持部を前記段取り空間内でパレットと共に下降させ他方のパレット保持部を前記加工空間内でパレットと共に下降させ且つ前記スライドロッドは前記スライドカバーが下降して前記旋回カバーと協働して前記加工空間および前記段取り空間を仕切るところに特徴を有している。
上記手段によれば、スライドカバーおよび旋回カバーが同一の上下動機構を介して同一の駆動源に連結されている。このため、センサからの出力信号に基づいて複数の駆動源の駆動タイミングを同期させる必要がなくなるので、スライドカバーの上下動タイミングと旋回カバーの上下動タイミングとがずれることが防止され、信頼性が高まる。
【０００５】
【０００６】
【０００７】
【０００８】
【発明の実施の形態】
以下、本発明の一実施例を図面に基づいて説明する。工場の床面には、図９に示すように、テーブル１が設置されており、テーブル１にはスプラッシュカバー１ａが被せられている。このテーブル１には前後部に位置して高床部２および低床部３が設けられており、後方の低床部３上にはマシニングセンタ４が搭載されている。このマシニングセンタ４は工作機械に相当するものであり、次のように構成されている。
【０００９】
＜マシニングセンタ４について＞
低床部３の上面にはワークテーブル５が左右方向および前後方向へ移動可能に装着されている。このワークテーブル５の上面にはパレット６が載置されており、パレット６の上面にはワーク（図示せず）が載置されている。前者のワークテーブル５には三角形状をなす複数の位置決め突部７が設けられ、後者のパレット６には三角形状をなす複数の位置決め凹部８および四角形状をなす複数の係合凹部９（１個のみ図示する）が設けられており、パレット６は位置決め突部７および位置決め凹部８間が係合することに基づいてパレット６上のワークに加工を施す加工位置に位置決めされている。尚、ワークテーブル５とパレット６とは加工時は図示しないパレットクランプ装置によって強固に固定されている。
【００１０】
低床部３の上面には柱状のコラム１０が固定されており、コラム１０には主軸ヘッド１１が上下方向へ移動可能に装着されている。この主軸ヘッド１１には上下方向へ延びる主軸（図示せず）が回転可能に装着されており、主軸の下端部には工具が着脱可能に装着されている。この主軸はＮＣプログラムに基づいて回転制御されるものであり、主軸の工具は主軸と一体的に回転することに基づいてパレット６上のワークに加工を施す。
【００１１】
ワークテーブル５はＮＣプログラムで指令された移動量だけ左右方向および前後方向へ移動するものであり、主軸の工具はワークテーブル５の移動に基づいて画定される設定位置でパレット６上のワークに加工を施す。また、主軸ヘッド１１はＮＣプログラムで指令された移動量だけ上下方向へ移動するものであり、主軸の工具は主軸ヘッド１１の移動に基づいて画定される設定深さでパレット６上のワークに加工を施す。
【００１２】
マシニングセンタ４は自動工具交換装置１２を有している。この自動工具交換装置１２は主軸ヘッド１１の側面に装着された工具マガジン１３と、主軸ヘッド１１に回転可能に装着された工具交換アーム１４とを有するものであり、工具マガジン１３内には複数の工具１５が収納され、工具交換アーム１４はＮＣプログラムで指令された所定の工具１５を工具マガジン１３内から自動的に取出し、主軸に装着されている工具と自動的に交換する。マシニングセンタ４は以上のように構成されている。
【００１３】
テーブル１の高床部２上にはカバー装置に相当する保護カバー装置１６が搭載されている。この保護カバー装置１６は高床部２上の段取り空間１７と低床部３上の加工空間１８とを仕切るものであり、次のように構成されている。
【００１４】
＜保護カバー装置１６について＞
高床部２の左右両側部には、図７の（ａ）に示すように、コ字状の支柱１９が固定されており、両支柱１９の上端部には、図１に示すように、中間板２０が固定されている。この中間板２０の左右両側部には支柱２１が固定されており、両支柱２１の上端部には天板２２が固定されている。
【００１５】
天板２２の上面には右側部に位置して取付板２３が固定されており、取付板２３には、図６の（ａ）に示すように、モータ２４の減速機構２４ａが固定されている。このモータ２４は駆動源および駆動部に相当するものであり、モータ２４の回転軸２５は、図１に示すように、取付板２３を貫通して取付板２３の下方に突出している。また、取付板２３の上面には左側部に位置して取付板２６が固定されており、取付板２６には第２のカム駆動部に相当する間欠駆動部２７が固定されている。この間欠駆動部２７は回転可能な入力軸２８および出力軸２９を有するものであり、入力軸２８および出力軸２９は取付板２６を貫通して取付板２６の下方に突出している。
【００１６】
モータ２４の回転軸２５には下端部に位置して主動ギア３０が固定され、間欠駆動部２７の入力軸２８には下端部に位置して従動ギア３１が固定されており、主動ギア３０は従動ギア３１に噛合されている。これら主動ギア３０および従動ギア３１は外径寸法および歯数が同一のものであり、モータ２４の駆動時には間欠駆動部２７の入力軸２８がモータ２４の回転軸２５と同一速度で回転する。
【００１７】
右側の支柱２１にはレバーブラケット３２が固定されており、レバーブラケット３２にはレバー３３の右端部が軸３４を中心に回動可能に装着されている。このレバー３３の長さ方向略中央部には、図３に示すように、後方へ突出する軸３５が固定されており、軸３５の後端部には円形状のカムフォロワ３６が回転可能に装着されている。
【００１８】
中間板２０には、図１に示すように、間欠駆動部２７の下方に位置してカムブラケット３７が固定されている。このカムブラケット３７には、図４に示すように、軸３８を介してカム３９が回転可能に装着されており、カム３９とカムブラケット３７との間にはスラスト軸受４０が介在されている。このカム３９の上面には外周部に位置してカム面４１が形成されており、レバー３３のカムフォロワ３６はレバー３３等の自重でカム面４１上に載置されている。
【００１９】
カム３９の中央部には円柱状の連結部４２が形成されている。この連結部４２の上面は間欠駆動部２７の従動ギア３１に連結されており、モータ２４の駆動時にはカム３９が間欠駆動部２７の入力軸２８と一体的に回転する。このとき、レバー３３のカムフォロワ３６がカム３９のカム面４１に沿って移動し、レバー３３が軸３４を中心に回動する。
【００２０】
図５の（ａ）はモータ２４の回転位相角とレバー３３の挙動との関係を示すものであり、回転位相角０〜θ1 °ではレバー３３が右肩上りの下端位置に保持される（図１参照）。また、回転位相角θ1 °〜θ2 °ではレバー３３の左端部が図１の矢印Ａ方向へ回動し、回転位相角θ2 °〜θ3 °ではレバー３３が左肩上りの上端位置に保持される（図２参照）。また、回転位相角θ3 °〜θ4 °ではレバー３３の左端部が図２の反矢印Ａ方向へ回動し、回転位相角θ4 °〜３６０°ではレバー３３が図１の下端位置に保持される。
【００２１】
中間板２０および天板２２には、図１に示すように、左右方向中心部から左側に偏心した部分に位置してスリーブ４３が固定されている。これら両スリーブ４３内には円柱状のスライドロッド４４が上下動可能に挿入されており、スライドロッド４４には、図３に示すように、前面が開口する切欠状の係合部４５が形成されている。
【００２２】
レバー３３の左端部にはピン４６が固定されている。このピン４６はスライドロッド４４の係合部４５内に位置ずれ可能に係合されており、モータ２４の駆動時にはスライドロッド４４がレバー３３の図１の矢印Ａ方向への回動に連動して上昇し、レバー３３の図２の反矢印Ａ方向への回動に連動して下降する。
【００２３】
両支柱１９間には、図１に示すように、第１のカバーに相当する平板状のスライドカバー４７が上下方向へスライド可能に装着されている。このスライドカバー４７はスライドロッド４４の下端部に回り止め状態で連結されており、モータ２４の駆動時にはスライドカバー４７がレバー３３の図１の矢印Ａ方向への回動に連動して上昇し、図２の反矢印Ａ方向への回動に連動して下降する。
【００２４】
中間板２０には、図１に示すように、スライドロッド４４の右側部に位置してスリーブ４８が固定されており、スリーブ４８内には旋回ロッド４９が上下動可能および回転可能に挿入されている。この旋回ロッド４９の上端部には径大部５０が設けられており、径大部５０の上端部には旋回ギア５１が固定されている。また、取付板２６には間欠駆動部２７の左側部に位置して心棒５２が固定されており、旋回ギア５１は心棒５２の外周部に上下動可能および回動可能に挿入されている。
【００２５】
レバー３３には、図３に示すように、ピン４６の右側部（基端側）に位置して軸５３が固定されている。この軸５３はレバー３３の後方へ突出するものであり、軸５３の後端部にはローラ５４が回転可能に装着されている。このローラ５４は旋回ロッド４９の径大部５０を下方から支えるものであり、モータ２４の駆動時にはレバー３３の図１の矢印Ａ方向への回動に連動して旋回ロッド４９および旋回ギア５１が上昇し、図２の反矢印Ａ方向への回動に連動して旋回ロッド４９および旋回ギア５１が下降する。
【００２６】
間欠駆動部２７は２枚の板カムおよび２列の複数個の従節ローラ（いずれも図示せず）を有するパラレル・カム方式のものであり、間欠駆動部２７の入力軸２８は２枚の板カムに連結され、出力軸２９は２列の複数個の従節ローラに連結されている。前者の２枚の板カムは入力軸２８と一体的に回転するものであり、後者の２列の複数個の従節ローラは２枚の板カムにより順次送られ、出力軸２９は２列の複数個の従節ローラの送り動作に連動して回動する。図５の（ｂ）はモータ２４の回転位相角と出力軸２９の挙動との関係を示すものであり、出力軸２９はレバー３３が上端位置に保持される回転位相角θ2 °〜θ3 °でのみ１８０°回動する。
【００２７】
間欠駆動部２７の出力軸２９には、図１に示すように、出力ギア５５が固定されており、出力ギア５５は旋回ギア５１に噛合されている。これら旋回ギア５１および出力ギア５５は直径寸法および歯数が同一に設定されており、スライドカバー４７が上端位置に保持される回転位相角θ2 °〜θ3 °では旋回ギア５１および旋回ロッド４９が出力軸２９に連動して１８０°回動する。
【００２８】
スライドカバー４７が下端位置から上端位置に上昇する回転位相角θ1 °〜θ2 °では出力軸２９が静止状態に保持され、旋回ギア５１および旋回ロッド４９がレバー３３に連動して上昇する。また、スライドカバー４７が上端位置から下端位置に下降する回転位相角θ3 °〜θ4 °では出力軸２９が静止状態に保持され、旋回ギア５１および旋回ロッド４９がレバー３３に連動して下降する。
【００２９】
旋回ロッド４９の下端部には、図１に示すように、周方向に１８０°離間する２枚のブラケット５６が固定されており、両ブラケット５６には平板状の旋回カバー５７が個別に固定されている。これら各旋回カバー５７は第２のカバーに相当するものであり、スライドカバー４７が下端位置に保持される回転位相角０°〜θ1 °およびθ4 °〜３６０°では両旋回カバー５７がマシニングセンタ４を前方から覆う閉鎖状態に回動し、しかも、スライドカバー４７の下端部と両旋回カバー５７の上端部とが前後方向にラップした状態に保持される。
【００３０】
スライドカバー４７が下端位置から上端位置に上昇する回転位相角θ1 °〜θ2 °では旋回ロッド４９の径大部５０がレバー３３のローラ５４により持上げられ、両旋回カバー５７が閉鎖状態に保持されたまま旋回ロッド４９と一体的に上昇する。この場合、スライドロッド４４がレバー３３の先端部に連結され、旋回ロッド４９がスライドロッド４４の基端側に連結されているので、スライドカバー４７の上昇量が大きく、両旋回カバー５７の上昇量が小さくなり、図２に示すように、スライドカバー４７の下端部と両旋回カバー５７の上端部との間に隙間５８が形成される。
【００３１】
スライドカバー４７が上端位置に保持される回転位相角θ2 °〜θ3 °では両旋回カバー５７が上端位置に保持されたまま間欠駆動部２７の出力軸２９に連動して１８０°回動する。この状態では、上述したように、スライドカバー４７の下端部と両旋回カバー５７の上端部との間に隙間５８が形成されているので、両旋回カバー５７がスライドカバー４７に干渉することが防止される。
【００３２】
スライドカバー４７が上端位置から下端位置に下降する回転位相角θ3 °〜θ4 °ではレバー３３のローラ５４が下方へ移動する。このため、ローラ５４による旋回ロッド４９の支持点が除々に下降するので、両旋回カバー５７が閉鎖状態に保持されたまま旋回ロッド４９と一体的に図１の下端位置に復帰する。
【００３３】
図１の符号５９はレバー３３，スライドロッド４４，レバー３３のピン４６，旋回ロッド４９，レバー３３のローラ５４を主体に構成された上下動機構を示すものであり、上下動機構５９は、上述の説明から明らかなように、スライドカバー４７および両旋回カバー５７を上下操作する。また、図１の符号６０は旋回ロッド４９，旋回ギア５１，出力ギア５５を主体に構成された回動機構を示すものであり、回動機構６０は、上述の説明から明らかなように、両旋回カバー５７を回動操作する。
【００３４】
図４の符号６１は主動ギア３０，従動ギア３１，レバー３３のカムフォロワ３６，カム３９を主体に構成された第１のカム駆動部を示すものであり、第１のカム駆動部６１は、上述の説明から明らかなように、スライドカバー４７および両旋回カバー５７が上端位置に保持されるようにモータ２４の駆動力を上下動機構５９に伝達する。また、図１の符号６２は第１のカム駆動部６１および第２のカム駆動部に相当する間欠駆動部２７を主体に構成されたカム機構（駆動力伝達機構）を示すものであり、カム機構６２は、上述の説明から明らかなように、モータ２４の駆動力を設定タイミングで上下動機構５９および回動機構６０に伝達する。
【００３５】
各支柱１９には、図６に示すように、縦長なレバー６３が軸６４を中心に回動可能に装着されている。これら各レバー６３は逆く字状のカム面６５を有するものであり、各支柱１９にはレバー６３の前方に位置して縦長な長孔６６が形成されている。
【００３６】
スライドカバー４７の左右両側部にはカム６７が固定されている。これら各カム６７は支柱１９の長孔６６内にスライド可能に挿入されており、スライドカバー４７が下端位置に保持されているときには、図６の（ｂ）に実線で示すように、各カム６７がレバー６３のカム面６５の下部に接触し、各レバー６３の下端部が矢印Ｂ方向へ回動した状態に保持されている。また、スライドカバー４７が上端位置に移動したときには各カム６７がカム面６５の上部に移動し、同図に二点鎖線で示すように、各レバー６３の下端部が反矢印Ｂ方向へ回動する。
【００３７】
各支柱１９にはレバー６３の下端部に対向してブラケット６８が固定されており、各ブラケット６８にはプッシュロッド６９が前後方向へスライド可能に装着されている。これら各プッシュロッド６９は、図６の（ｂ）に実線で示すように、スライドカバー４７が下端位置に保持されている状態で後退位置に保持されており、スライドカバー４７が上端位置に移動したときには、同図に二点鎖線で示すように、レバー６３の下端部により押圧されることに基づいて前進する。
【００３８】
各支柱１９の下端部および高さ方向中央部には、図１に示すように、ブラケット７０および７１が固定されており、各組のブラケット７０および７１には、図７に示すように、サブカバー７２の軸７３が回動可能に装着されている。これら各サブカバー７２は縦長な前板および側板を有するＬ字状をなすものであり、各サブカバー７２の前板には、図１に示すように、上端部に位置してプッシュプレート７４が固定され、各支柱１９には、図７に示すように、プッシュプレート７４に対向してピン７５が固定されている。
【００３９】
各サブカバー７２と支柱１９との間にはカバースプリング（図示せず）が装着されている。これら各カバースプリングはサブカバー７２を図７の矢印Ｃ方向へ付勢するものであり、スライドカバー４７および両旋回カバー５７が下端位置に保持されているときには、図７の（ｂ）に実線で示すように、各サブカバー７２がカバースプリングの力でピン７５およびプッシュロッド６９に接触している。この状態では各サブカバー７２および旋回カバー５７が前後方向にラップし、各サブカバー７２が旋回カバー５７および支柱１９間を前方から覆っている。
【００４０】
スライドカバー４７および両旋回カバー５７が下端位置から上端位置に移動すると、図６の（ｂ）に二点鎖線で示すように、各レバー６３がプッシュロッド６９を押圧することに基づいて前進させる。すると、各プッシュロッド６９がプッシュプレート７４を前方へ押圧するので、図７の（ｂ）に二点鎖線で示すように、各サブカバー７２が反矢印Ｃ方向へ回動する。この状態では各サブカバー７２が旋回カバー５７の側方に退避するので、各旋回カバー５７が旋回時にサブカバー７２に干渉することが防止される。
【００４１】
スライドカバー４７および両旋回カバー５７が上端位置から下端位置に移動すると、スライドカバー４７の各カム６７が下降する。このとき、各サブカバー７２がカバースプリングの力でプッシュロッド６９を押圧して後退させるので、各レバー６３の下端部がプッシュロッド６９により押圧されることに基づいて図６の矢印Ｂ方向へ回動する。そして、各サブカバー７２がスライドカバー４７および両旋回カバー５７の下降に応じて図７の矢印Ｃ方向へ回動し、スライドカバー４７および両旋回カバー５７が下端位置に到達した時点で図７の（ｂ）の実線の状態に復帰する。保護カバー装置１６は以上のように構成されている。
【００４２】
テーブル１には、図８に示すように、パレットチェンジ装置７６が装着されている。このパレットチェンジ装置７６は保護カバー装置１６のモータ２４，上下動機構５９，回動機構６０，間欠駆動部２７，第１のカム駆動部６１，カム機構６２を共有するものであり、次のように構成されている。
【００４３】
＜パレットチェンジ装置７６について＞
テーブル１の高床部２には軸７７が固定されている。この軸７７にはワーク交換アームに相当するパレット交換アーム７８が上下動可能および回転可能に装着されており、パレット交換アーム７８の両端部には、図７の（ａ）に示すように、上方へ突出するパレット保持部７９が２個ずつ設けられている。このパレット交換アーム７８は旋回ロッド４９の下端部に連結されたものであり、両旋回カバー５７が閉塞状態にあるときに前後方向へ指向している。
【００４４】
テーブル１の高床部２には、図８の（ａ）に示すように、複数の位置決め突部７が設けられており、高床部２側の複数の位置決め突部７にはパレット６の位置決め凹部８が係合されている。この高床部２側のパレット６上にはワーク（図示せず）が載置されており、高床部２側のパレット６は位置決め突部７および位置決め凹部８間が係合することに基づいて段取りを施す段取り位置に位置決めされている。パレットチェンジ装置７６は以上のように構成されている。
【００４５】
次に上記構成の作用について説明する。モータ２４の回転位相角０°〜θ1 °ではスライドカバー４７が下端位置に保持され、両旋回カバー５７が下端位置で閉塞状態に保持されている。これと共に各サブカバー７２が旋回カバー５７に対して前方にラップし、旋回カバー５７および支柱１９間を前方から覆っている。この状態では、図８の（ａ）に示すように、パレット交換アーム７８の後方の両パレット保持部７９が加工位置のパレット６の両係合凹部９の下方に位置し、パレット交換アーム７８の前方の両パレット保持部７９が段取り位置のパレット６の両係合凹部９の下方に位置している。
【００４６】
モータ２４の回転位相角θ1 °〜θ2 °ではスライドカバー４７が下端位置から上端位置に上昇し、両旋回カバー５７が閉塞状態に保持されたまま下端位置から上端位置に上昇する。これと共に各サブカバー７２が反矢印Ｃ方向に回動し、旋回カバー５７の回転軌跡の外部に退避する。このとき、図８の（ｂ）に示すように、パレット交換アーム７８が両旋回カバー５７と一体的に上昇し、パレット交換アーム７８の後方の両パレット保持部７９が加工位置のパレット６の両係合凹部９に係合し、パレット交換アーム７８の前方の両パレット保持部７９が段取り位置のパレット６の両係合凹部９に係合する。そして、両パレット６がパレット交換アーム７８により持上げられ、両パレット６の位置決め凹部８およびテーブル１側の位置決め突部７間の係合が解除される。
【００４７】
モータ２４の回転位相角θ2 °〜θ3 °では両旋回カバー５７が上端位置に保持されたまま１８０°回動し、パレット交換アーム７８が両旋回カバー５７と一体的に１８０°回動する。このとき、加工位置のパレット６が段取り空間１７内に搬送され、段取り位置のパレット６が加工空間１８内に搬送される。そして、加工位置にあったパレット６の両位置決め凹部８が段取り空間１７内の両位置決め突部７の上方に対向し、段取り位置にあったパレット６の両位置決め凹部８が加工空間１８内の両位置決め突部７の上方に対向する。
【００４８】
モータ２４の回転位相角θ3 °〜θ4 °ではスライドカバー４７が上端位置から下端位置に下降し、両旋回カバー５７が閉塞状態に保持されたまま上端位置から下端位置に下降する。これと共に各サブカバー７２が矢印Ｃ方向へ回動し、旋回カバー５７の前方にラップした状態に復帰する。このとき、パレット交換アーム７８が両旋回カバー５７と一体的に下降し、段取り空間１７内のパレット６の両位置決め凹部８が段取り空間１７内の両位置決め突部７に係合する。これと共に、加工空間１８内のパレット６の両位置決め凹部８が加工空間１８内の両位置決め突部７に係合し、加工位置にあったパレット６と段取り位置にあったパレット６とが自動的に交換される。
【００４９】
上記実施例によれば、スライドカバー４７および旋回カバー５７を同一の上下動機構５９を介して同一のモータ２４に連結した。このため、センサからの出力信号に基づいて複数の駆動源の駆動タイミングを同期させる必要がなくなるので、スライドカバー４７の上下動タイミングと旋回カバー５７の上下動タイミングとがずれることが防止され、信頼性が高まる。
【００５０】
また、上下動機構５９および回動機構６０をモータ２４にカム機構６２を介して連結した。このため、旋回カバー５７を回動させる専用の駆動源が不要になるので、構成が簡単になる。しかも、スライドカバー４７および旋回カバー５７の上下動を行う駆動源の駆動タイミングと旋回カバー５７の回動を行う駆動源の駆動タイミングとをセンサからの出力信号に基づいて同期させる必要がなくなるので、スライドカバー４７および旋回カバー５７の上下動タイミングと旋回カバー５７の回動タイミングとがずれることが防止され、信頼性が一層高まる。
【００５１】
また、上下動機構５９および回動機構６０をモータ２４に第１のカム駆動部６１および間欠駆動部２７を介して連結し、パレット交換アーム７８を回動機構６０に連結した。このため、スライドカバー４７および旋回カバー５７の上下動タイミングが専用の第１のカム駆動部６１により設定され、旋回カバー５７およびパレット交換アーム７８の回動タイミングが専用の間欠駆動部２７により設定されるので、スライドカバー４７および旋回カバー５７の上下動タイミングと旋回カバー５７の回動タイミングとパレット交換アーム７８の回動タイミングとがずれることが防止され、信頼性が一層高まる。
【００５２】
また、スライドカバー４７の下端部と旋回カバー５７の上端部とを下降状態でラップさせたので、加工空間１８内からスライドカバー４７および旋回カバー５７間を通して段取り空間１７内に加工屑等が飛散することが防止される。しかも、スライドカバー４７の下端部と旋回カバー５７の上端部とのラップを上昇状態で解除したので、旋回カバー５７が回動時にスライドカバー４７に干渉することが防止される。
【００５３】
尚、上記実施例においては、スライドカバー４７の上下動と旋回カバー５７の上下動と旋回カバー５７の回動とパレット交換アーム７８の回動とを同一のモータ２４により行ったが、これに限定されるものではなく、例えばスライドカバー４７の上下動と旋回カバー５７の上下動とを同一の駆動源により行い、旋回カバー５７の回動とパレット交換アーム７８の回動とを別の同一の駆動源により行っても良い。この場合、スライドカバー４７および旋回カバー５７間に隙間５８が形成された状態で別の駆動源を駆動し、旋回カバー５７が旋回時にスライドカバー４７に干渉することを防止することが好ましい。
【００５４】
また、上記実施例においては、旋回カバー５７と支柱１９との間にサブカバー７２を設けたが、これに限定されるものではなく、例えばサブカバー７２を廃止しても良い。
【００５５】
また、上記実施例においては、パレット交換アーム７８を回動機構６０に連結することに基づいてモータ２４により駆動したが、これに限定されるものではなく、例えばパレット交換アーム７８を専用の駆動源および回動機構により駆動しても良い。
【００５６】
また、上記実施例においては、スライドカバー４７および旋回カバー５７の上下動タイミングと旋回カバー５７の回動タイミングとをカム機構６２により同期させたが、これに限定されるものではなく、要はスライドカバー４７および旋回カバー５７間に隙間５８が形成された状態で旋回カバー５７が回動するようにモータ２４の駆動力が回動機構６０に伝達される構成であれば良い。
【００５７】
【発明の効果】
以上の説明から明らかなように、本発明のパレットチェンジ装置は次の効果を奏する。
スライドカバーおよび旋回カバーを同一の上下動機構を介して同一の駆動源に連結した。このため、両カバーの上下動タイミングがずれることが防止されるので、信頼性が高まる。
【００５８】
【００５９】
【図面の簡単な説明】
【図１】  本発明の一実施例を示す図（保護カバー装置およびパレットチェンジ装置をパレット交換アーム等の下降状態で示す前面図）
【図２】  保護カバー装置およびパレットチェンジ装置をパレット交換アーム等の上昇状態で示す前面図
【図３】  図１のＸ３線に沿う断面図
【図４】  図１のＸ４線に沿う断面図
【図５】  （ａ）はレバーの挙動を示す図、（ｂ）は旋回カバーおよびパレット交換アームの挙動を示す図
【図６】  （ａ）は保護カバー装置を示す側面図、（ｂ）は要部を拡大して示す側面図
【図７】  （ａ）は保護カバー装置およびパレットチェンジ装置を示す上面図、（ｂ）は要部を拡大して示す上面図
【図８】  パレットチェンジ装置を示す側面図（ａはパレット交換アームが下降している様子を示す側面図、ｂはパレット交換アームが上昇している様子を示す側面図）
【図９】  全体構成を示す側面図
【符号の説明】
４はマシニングセンタ（工作機械）、１６は保護カバー装置（カバー装置）、１７は段取り空間、１８は加工空間、２４はモータ（駆動源，駆動部）、２７は間欠駆動部（第２のカム駆動部）、３３はレバー、４７はスライドカバー（第１のカバー）、５７は旋回カバー（第２のカバー）、５９は上下動機構、６０は回動機構、６１は第１のカム駆動部、６２はカム機構、７８はパレット交換アーム（ワーク交換アーム）を示す。
【図１】
0004665271.tif 000002
【図２】
0004665271.tif 000003
【図３】
0004665271.tif 000004
【図４】
0004665271.tif 000005
【図５】
0004665271.tif 000006
【図６】
0004665271.tif 000007
【図７】
0004665271.tif 000008
【図８】
0004665271.tif 000009
【図９】
0004665271.tif 000010